(57)【要約】【課題】単一のロック部材を用いて電池などの収容物品のロックと蓋のロックを個別に且つ簡易な操作で行なうことが出来る電子機器を提供する。【解決手段】本発明に係る電子機器においては、筐体１の内部に物品収容室が形成され、該物品収容室は蓋３によって開閉することが可能である。蓋３を閉じ位置にロックするロック機構は、筐体１に移動可能に支持されたロック部材５と、蓋３に形成されてロック部材５が係合すべき係合受け片32とを具え、該ロック部材５は、移動操作によって、係合受け片32に係合して蓋３を閉じ位置にロックするロック位置と、該ロック位置から後退して係合受け片32から離脱すると共にロック部材５の一部を物品収容室の開口部15へ突出させた第１ロック解除位置と、該第１ロック解除位置から更に後退して物品収容室の開口部15に突出しない第２ロック解除位置に移動する。【選択図】図４
2009180883.tif 000002
【特許請求の範囲】
【請求項１】
筐体(１)の内部に、筐体(１)の外側へ開口する物品収容室(14)が形成され、該物品収容室(14)は、筐体(１)に枢支された蓋(３)によって開閉することが可能であり、該蓋(３)はロック機構によって閉じ位置にロックすることが可能な電子機器において、
前記ロック機構は、筐体(１)に対して移動可能に支持されたロック部材(５)と、蓋(３)に形成されてロック部材(５)が係合すべき係合受け片(32)(32)とを具え、該ロック部材(５)は、移動操作によって、ロック部材(５)の一部を前記物品収容室(14)の開口部(15)へ突出させると共に前記係合受け片(32)(32)に係合して蓋(３)を閉じ位置にロックするロック位置と、該ロック位置から後退して係合受け片(32)(32)から離脱すると共にロック部材(５)の一部を前記物品収容室(14)の開口部(15)へ突出させた状態を維持する第１ロック解除位置と、該第１ロック解除位置から更に後退して前記物品収容室(14)の開口部(15)に突出しない第２ロック解除位置に移動することが可能な電子機器。
【請求項２】
前記ロック機構は、ロック部材(５)がロック位置と第１ロック解除位置の間を移動する過程でロック部材(５)の操作にクリック感を与えるクリック感付与機構を具えている請求項１に記載の電子機器。
【請求項３】
前記ロック機構は、ロック部材(５)を第２ロック解除位置から第１ロック解除位置に向けて付勢する付勢手段を具えている請求項１又は請求項２に記載の電子機器。
【請求項４】
蓋(３)とロック部材(５)の対向部には、ロック部材(５)がロック位置に設置された状態にて蓋(３)を閉じる過程で互いに摺接し、ロック部材(５)をロック位置から第１ロック解除位置へ向けて押圧すべきカム面とカム受け面とが形成されている請求項１乃至請求項３の何れかに記載の電子機器。
【発明の詳細な説明】
【技術分野】
【０００１】
本発明は、カメラ等の電子機器に関し、特に、電池蓋等の蓋を閉じ位置にロックするためのロック機構を具えた電子機器に関するものである。
【背景技術】
【０００２】
従来、デジタルカメラ等の電子機器においては、筐体の内部に電池収容室が形成されると共に、筐体には、電池収容室の開口を開閉する蓋が取り付けられ、該蓋はロック機構によって閉じ位置にロックすることが可能となっている。
【０００３】
この様な電子機器において、蓋を閉じ位置にロックする第１のロック部材と、電池収容室内の電池を収容室内に拘持するための第２のロック部材とを配備した蓋開閉装置が提案されている(特許文献１)。
この様な蓋開閉装置によれば、第１のロック部材によるロックを解除して蓋を開いたとしても、電池収容室内の電池は第２のロック部材によって収容室内に拘持されているので、電池が電池収容室内から飛び出して、電源がオフとなったり、電池が脱落したりすることはない。
【特許文献１】特開２０００−３３０１７２号公報
【発明の開示】
【発明が解決しようとする課題】
【０００４】
しかしながら、第１のロック部材と第２のロック部材を具えた電子機器においては、２つのロック部材を配備する必要があるために部品点数が増加する問題や、２つのロック部材についてロック操作やロック解除操作を順番に行なう必要があるために、操作が煩雑である問題があった。
【０００５】
そこで本発明の目的は、単一のロック部材を用いて電池などの収容物品並びに蓋のロックと収容物品のみのロックとを個別に且つ簡易な操作で行なうことが出来る電子機器を提供することである。
【課題を解決するための手段】
【０００６】
本発明に係る電子機器においては、筐体(１)の内部に、筐体(１)の外側へ開口する物品収容室(14)が形成され、該物品収容室(14)は、筐体(１)に枢支された蓋(３)によって開閉することが可能であり、該蓋(３)はロック機構によって閉じ位置にロックすることが可能である。
【０００７】
前記ロック機構は、筐体(１)に対して移動可能に支持されたロック部材(５)と、蓋(３)に形成されてロック部材(５)が係合すべき係合受け片(32)(32)とを具え、該ロック部材(５)は、移動操作によって、ロック部材(５)の一部を前記物品収容室(14)の開口部(15)へ突出させると共に前記係合受け片(32)(32)に係合して蓋(３)を閉じ位置にロックするロック位置と、該ロック位置から後退して係合受け片(32)(32)から離脱すると共にロック部材(５)の一部を前記物品収容室(14)の開口部(15)へ突出させた状態を維持する第１ロック解除位置と、該第１ロック解除位置から更に後退して前記物品収容室(14)の開口部(15)に突出しない第２ロック解除位置に移動することが可能となっている。
尚、ロック部材(５)の移動とは、直線上を移動する動作に限らず、１点を中心に回転する動作や円弧線等の曲線上を移動する動作を含むものとする。
【０００８】
上記本発明の電子機器によれば、筐体(１)の物品収容室(14)に電池等の物品を収容して蓋(３)を閉じた状態で、ロック部材(５)をロック位置に移動させることにより、該ロック部材(５)の一部が物品収容室(14)の開口部(15)へ突出して、該ロック部材(５)によって物品収容室(14)内の物品が収容位置にロックされると共に、該ロック部材(５)が蓋(３)の係合受け片(32)(32)に係合して、蓋(３)が閉じ位置にロックされる。
【０００９】
ロック部材(５)をロック位置から第１ロック解除位置に移動させると、ロック部材(５)は係合受け片(32)(32)から離脱して、蓋(３)のロックは解除されるが、ロック部材(５)の一部が物品収容室(14)の開口部(15)へ突出した状態は維持されているので、該ロック部材(５)によって物品収容室(14)内の物品は収容位置にロックされたままである。
この状態で蓋(３)を開くことが出来、蓋(３)を開いた状態でも、物品収容室(14)内の物品が脱落することはない。
【００１０】
ロック部材(５)を第１ロック解除位置から第２ロック解除位置に移動させると、ロック部材(５)が係合受け片(32)(32)から離脱した状態のまま、ロック部材(５)は物品収容室(14)の開口部(15)から完全に退去し、物品収容室(14)内の物品のロックが解除される。
この状態で、物品収容室(14)内の物品を物品収容室(14)から外へ取り出すことが可能となる。
【００１１】
具体的には、前記ロック機構は、ロック部材(５)がロック位置と第１ロック解除位置の間を移動する過程でロック部材(５)の操作にクリック感を与えるクリック感付与機構を具えている。
該具体的構成によれば、ロック部材(５)をロック位置から第１ロック解除位置へ移動させる過程、並びにロック部材(５)を第１ロック解除位置からロック位置へ移動させる過程で、クリック感付与機構が動作して、ユーザの操作にクリック感が与えられるので、操作性が良好である。
【００１２】
又、具体的構成において、前記ロック機構は、ロック部材(５)を第２ロック解除位置から第１ロック解除位置に向けて付勢する付勢手段を具えている。
該具体的構成によれば、ロック部材(５)は、付勢手段により第１ロック解除位置へ向けて付勢され、第１ロック解除位置に保持されているので、不意に物品収容室(14)内の物品のロックが解除される虞はない。
【００１３】
更に具体的な構成において、蓋(３)とロック部材(５)の対向部には、ロック部材(５)がロック位置に設置された状態にて蓋(３)を閉じる過程で互いに摺接し、ロック部材(５)をロック位置から第１ロック解除位置へ向けて押圧すべきカム面とカム受け面とが形成されている。
該具体的構成によれば、ロック部材(５)がロック位置に設置された状態で蓋(３)に閉じ方向の無理な力を加えたとしても、カム面とカム受け面とが互いに摺接して、ロック部材(５)をロック位置から第１ロック解除位置へ向けて押圧するので、ロック部材(５)は第１ロック解除位置側へ移動し、ロック部材(５)と蓋(３)の係合受け片(32)(32)との干渉が回避される。この結果、係合受け片(32)(32)の損傷が防止されることになる。
【００１４】
尚、ロック部材(５)がロック位置に設置された状態で蓋(３)を閉じることによって、ロック部材(５)がロック位置から第１ロック解除位置側へ移動し、その過程でクリック感付与機構が動作して、蓋(３)が全閉となったときにはロック部材(５)が第１ロック解除位置に達する構成や、クリック感付与機構の動作が前半で中断し、蓋(３)が全閉となったときには該クリック感付与機構の反発力によりロック部材(５)がロック位置に戻る構成を採用することが出来る。
【発明の効果】
【００１５】
本発明に係る電子機器によれば、単一のロック部材を用いて電池などの収容物品並びに蓋のロックと収容物品のみのロックとを個別に且つ簡易な操作で行なうことが出来る。
【発明を実施するための最良の形態】
【００１６】
以下、本発明をデジタルカメラに実施した形態につき、図面に沿って具体的に説明する。
本発明に係るデジタルカメラは、図１に示す如く、筐体(１)の前面にレンズ(２)が配備されており、筐体(１)の内部には、電池及びメモリカードの収容室(14)が形成され、該収容室(14)は蓋(３)によって閉じられている。
蓋(３)は、筐体(１)上に枢軸(31)を有し、該枢軸(31)を中心として開閉動作が可能となっている。
【００１７】
又、蓋(３)の基端部の側部には、収容室(14)に電池に替えて所謂ＤＣカプラーを収容した場合に該ＤＣカプラーから伸びるコードを筐体(１)の外側へ引き出すために開く扉(４)が配備され、該扉(４)は、蓋(３)の枢軸(31)と同軸の枢軸(41)を具え、該枢軸(41)を中心として開閉動作が可能となっている。
【００１８】
蓋(３)には、小窓(34)が開設され、該小窓(34)から後述するロック部材(５)の操作片(51)が突出している。
操作片(51)を図２に示すロック位置から図３の矢印方向に押圧して、ロック部材(５)をスライドさせることにより、ロック部材(５)は第１ロック解除位置まで移動して、蓋(３)のロックが解除され、図４の如く蓋(３)を開くことが出来る。
これによって筐体(１)に収容されている電池(６)とメモリカード(61)の上端面が開口部(15)から露出することになる。
【００１９】
図４の状態では、ロック部材(５)の舌片(53)が電池(６)の上端面へ突出して、電池(６)を収容位置にロックしている。
この状態から操作片(51)を図５の矢印方向に押圧すると、ロック部材(５)の舌片(53)が電池(６)の上端面から後退して、ロック部材(５)は第２ロック解除位置まで移動し、電池(６)のロックが解除される。この結果、収容室から電池(６)を取り出すことが出来る。
【００２０】
ロック部材(５)は、筐体(１)にスライド可能に支持されており、その表面に前記操作片(51)が突設されると共に、両側に左右一対の突片(52)(52)を具えている。又、ロック部材(５)は、収容室側へ楔状に突出する舌片(53)を具えている。
一方、蓋(３)の裏面には、ロック部材(５)の一対の突片(52)(52)に対応させて、該突片(52)(52)が係合すべき左右一対の係合受け片(32)(32)が突設されている。
【００２１】
更にロック部材(５)には、図６(ａ)に示す様に、前記操作片(51)とは反対側に突出するボス(54)が形成され、該ボス(54)は、筐体(１)に形成された左右一対のガイド部(11)(11)によって挟持され、ロック部材(５)のスライドが案内されている。
又、ロック部材(５)には、前記操作片(51)とボス(54)との間に、図６(ｂ)に示す鍔部(55)が形成されており、該鍔部(55)は、筐体(１)に形成された左右一対のアーム部(12)(12)によって挟持されている。一対のアーム部(12)(12)には、その内側の側面に台形状の凸部(13)(13)が形成されており、鍔部(55)が両アーム部(12)(12)間を移動する過程で、ロック部材(５)の操作にクリック感を与えるクリック感付与機構を構成している。
【００２２】
筐体(１)には、図６(ａ)に示す如くトーションバネ(７)が設置されており、該トーションバネ(７)によってロック部材(５)が収容室側へ付勢されている。
ロック部材(５)を図４に示す第１ロック解除位置から図５に示す第２ロック解除位置まで移動させる過程では、前記トーションバネ(７)の付勢に抗して操作片(51)を押圧する。第２ロック解除位置にて操作片(51)から手を離せば、ロック部材(５)はトーションバネ(７)の付勢によって図４に示す第１ロック解除位置まで戻ることになる。
【００２３】
図２に示すロック部材(５)のロック位置では、図１０(ｂ)に示す如くロック部材(５)の突片(52)(52)が蓋(３)の係合受け片(32)(32)に係合して、蓋(３)を閉じ位置にロックしている。又、図４に示すロック部材(５)の舌片(53)が電池(６)の上端面に突出して、電池(６)を収容位置にロックしている。
このとき、図６(ｂ)の如くロック部材(５)の鍔部(55)は筐体(１)の一対のアーム部(12)(12)の間にあって、凸部(13)(13)よりも収容室側に位置している。
【００２４】
ロック部材(５)をロック位置から第１ロック解除位置まで移動させる過程で、ロック部材(５)の鍔部(55)は、筐体(１)の一対のアーム部(12)(12)の凸部(13)(13)を乗り越えて通過し、図７(ａ)(ｂ)の如く凸部(13)(13)の収容室とは反対側に移動する。このとき、一対のアーム部(12)(12)が弾性変形の後に弾性復帰して、ロック部材(５)の操作にクリック感を与えるのである。
そして、ロック部材(５)は、トーションバネ(７)の付勢によって図３に示す第１ロック解除位置に保持される。
【００２５】
ロック部材(５)が第１ロック解除位置に設置された状態では、ロック部材(５)の突片(52)(52)が蓋(３)の係合受け片(32)(32)から離脱し、蓋(３)のロックを解除する。従って、図４の如く蓋(３)を開くことが可能となる。
この状態で、ロック部材(５)の舌片(53)は筐体(１)の開口部(15)へ突出しており、該舌片(53)によって電池(６)の上端面が係止され、電池(６)のロックは維持されている。
【００２６】
ロック部材(５)をトーションバネ(７)の付勢に抗して第１ロック解除位置から第２ロック解除位置まで移動させる過程では、図８(ａ)(ｂ)の如くロック部材(５)の鍔部(55)は筐体(１)の一対のアーム部(12)(12)の間を移動する。
ロック部材(５)が第２ロック解除位置に達すると、図５に示す如くロック部材(５)の舌片(53)は電池(６)の上端面から離脱し、電池(６)のロックが解除される。これによって、電池(６)は、図１の如く収容室(14)の底部に設けられた電池排出用スプリング(10)又は電極片(図示省略)等の排出手段によって飛び出し方向に付勢され、収容室(14)から僅かに突出することになる。
この結果、電池(６)の取り出しが可能となる。電池(６)を収容室(14)から取り出すと、ロック部材(５)はトーションバネ(７)の付勢によって第１ロック解除位置に復帰する。
【００２７】
図５の如く収容室に電池(６)を装填するときは、電池(６)の端部により第１ロック解除位置のロック部材(５)の舌片(53)を押圧する。舌片(53)は楔状を呈してカム作用を発揮するので、電池(６)の押圧によってロック部材(５)は後退し、電池(６)の通過を許容する。
電池(６)が収容室内に完全に収容されると、ロック部材(５)はトーションバネ(７)の付勢によって第１ロック解除位置まで戻って、該ロック部材(５)の舌片(53)が図４の如く電池(６)の上端面を係止して、電池(６)を収容位置にロックする。
【００２８】
この状態で蓋(３)を図３の如く閉じて、ロック部材(５)を図２に示すロック位置まで移動させれば、図１０(ｂ)の如くロック部材(５)の突片(52)(52)が蓋(３)の係合受け片(32)(32)に係合して、蓋(３)が閉じ位置にロックされることになる。
【００２９】
更に具体的には、図９(ａ)に示す如く、ロック部材(５)の突片(52)(52)と、蓋(３)の係合受け片(32)(32)との対向部に、互いに摺接可能な斜面(56)(33)が形成されており、図示の如くロック部材(５)がロック位置に設置された状態で蓋(３)を閉じる操作が行なわれたとき、蓋(３)の係合受け片(32)に形成されている斜面(33)が、ロック部材(５)の突片(52)に形成されている斜面(56)に摺接し、更に蓋(３)を全閉位置まで閉じることによって、係合受け片(32)の斜面(33)が突片(52)の斜面(56)を押圧し、カム作用によってロック部材(５)を収容室から離れる方向に移動させる。
【００３０】
この結果、図９(ｂ)の如くロック部材(５)は第１ロック解除位置に達する。ロック部材(５)がロック位置から第１ロック解除位置まで移動する過程で、図７(ｂ)に示すロック部材(５)の鍔部(55)が図６(ｂ)の如く凸部(13)(13)を通過することとなり、最終的にロック部材(５)は図２に示す第１ロック解除位置に保持されることになる。
【００３１】
従って、ロック部材(５)がロック位置に設置された状態で蓋(３)を閉じる操作が行なわれたとしても、蓋(３)の係合受け片(32)とロック部材(５)の突片(52)との衝突による損傷が回避される。
【００３２】
尚、ロック部材(５)が閉じ位置に設置された状態で蓋(３)を閉じる過程における、前記斜面(33)(56)のカム作用によるロック部材(５)の駆動距離と、ロック部材(５)の鍔部(55)が筐体(１)のアーム部(12)の凸部(13)を通過するまでの距離との大小関係を調整することによって、上記とは異なる動作を実現することも可能である。
即ち、ロック部材(５)がロック位置に設置された状態で蓋(３)が閉じられた場合に、図６(ｂ)に示すロック部材(５)の鍔部(55)が凸部(13)(13)を完全に通過せず、該凸部(13)(13)の斜面を途中まで登る構成とすれば、蓋(３)を全閉位置まで閉じたとき、ロック部材(５)がアーム部(12)(12)の弾性復帰に伴って収容室側へ付勢されて、最終的にロック位置まで戻り、蓋(３)を閉じ位置にロックする、オートロック機構を実現することが可能である。
【００３３】
上述の如く本発明に係るデジタルカメラによれば、単一のロック部材(５)を用いて、電池(６)と蓋(３)の両方をロックする状態と電池(６)のみをロックする状態を実現することが出来、ロック及びロック解除の操作はロック部材(５)をスライドさせるだけの簡易な操作で行なうことが出来る。
又、単一のロック部材(５)を用いて電池(６)と蓋(３)のロック機構を実現しているので、ロック機構の小型化、ひいてはデジタルカメラの小型化が図られる。
【００３４】
本発明の各部構成は上記実施の形態に限らず、特許請求の範囲に記載の技術的範囲内で種々の変形が可能である。
例えば本発明は、デジタルカメラに限らず、収容室と蓋を具えた種々の電子機器に実施することが出来る。又、収容室は、電池やメモリカードの収容室に限らず、付属部品や増設回路ユニット等、種々の物品の収容室であってもよい。
【図面の簡単な説明】
【００３５】
【図１】本発明に係るデジタルカメラの斜視図である。
【図２】該デジタルカメラにおいてロック部材がロック位置に設置されている状態の斜視図である。
【図３】該デジタルカメラにおいてロック部材が第１ロック解除位置に設置されている状態の斜視図である。
【図４】該デジタルカメラにおいて蓋を開いた状態を示す斜視図である。
【図５】該デジタルカメラにおいてロック部材が第２ロック解除位置まで移動した状態の斜視図である。
【図６】ロック位置におけるロック部材及びその周辺機構の斜視図(ａ)及び横断面図(ｂ)である。
【図７】第１ロック解除位置におけるロック部材及びその周辺機構の斜視図(ａ)及び横断面図(ｂ)である。
【図８】第２ロック解除位置におけるロック部材及びその周辺機構の斜視図(ａ)及び横断面図(ｂ)である。
【図９】ロック部材がロック位置に設置された状態で蓋を閉じるときの動作を示す縦断面図である。
【図１０】他の構成においてロック部材がロック位置に設置された状態で蓋を閉じるときの動作を示す縦断面図である。
【符号の説明】
【００３６】
(１)  筐体
(14)  収容室
(15)  開口部
(３)  蓋
(31)  枢軸
(32)  係合受け片
(33)  斜面
(５)  ロック部材
(51)  操作片
(52)  突片
(53)  舌片
(56)  斜面
(６)  電池
(61)  メモリカード
(７)  トーションバネ
【図１】
2009180883.tif 000003
【図２】
2009180883.tif 000004
【図３】
2009180883.tif 000005
【図４】
2009180883.tif 000006
【図５】
2009180883.tif 000007
【図６】
2009180883.tif 000008
【図７】
2009180883.tif 000009
【図８】
2009180883.tif 000010
【図９】
2009180883.tif 000011
【図１０】
2009180883.tif 000012